(57)【要約】      （修正有）【課題】ヘッドの一部を交換可能であり、損傷部分のみを交換可能であり、ヘッドカバーを１本購入するよりも安価な着脱式ヘッドカバーを提供する。【解決手段】着脱式ヘッドカバー１は、ヘッド保護部２とシャフト保護部３を備えたゴルフクラブのヘッドカバーにおいて、ヘッド保護部とシャフト保護部の双方又はいずれか一方を二以上のパーツで構成し、各パーツを着脱自在として、他のパーツと交換可能としたものである。ヘッド保護部とシャフト保護部とを別体とし、両者を着脱自在とし他のヘッド保護部とシャフト保護部と交換可能とすることもできる。ヘッドカバーを本体とその表面に着脱可能な着脱体とから構成し、着脱体をそれと同じサイズの他の脱着体と交換可能とすることもできる。【選択図】図１
0003162647.tif 000002
【実用新案登録請求の範囲】
【請求項１】
ゴルフクラブのヘッドを保護するヘッド保護部と、シャフトを保護するシャフト保護部を備えたゴルフクラブのヘッドカバーにおいて、
ヘッド保護部とシャフト保護部の双方又はいずれか一方を二以上のパーツで構成し、
それら各パーツを着脱自在として、他のパーツと交換可能とした
ことを特徴とする着脱式ヘッドカバー。
【請求項２】
ゴルフクラブのヘッドを保護するヘッド保護部と、シャフトを保護するシャフト保護部を備えたゴルフクラブのヘッドカバーにおいて、
ヘッド保護部とシャフト保護部とを別体とし、両者を着脱自在として、ヘッド保護部又はシャフト保護部を他のヘッド保護部とシャフト保護部と交換可能とした
ことを特徴とする着脱式ヘッドカバー。
【請求項３】
ゴルフクラブのヘッドを保護するヘッド保護部と、シャフトを保護するシャフト保護部を備えたゴルフクラブのヘッドカバーにおいて、
ヘッドカバーが本体とその表面に着脱可能な着脱体を備え、
着脱体をそれと同じサイズの他の脱着体と交換可能とした
ことを特徴とする着脱式ヘッドカバー。
【考案の詳細な説明】
【技術分野】
【０００１】
本願考案はゴルフクラブ用のヘッドカバーに関し、ヘッドカバーの一部を交換可能な着脱式としたものである。
【背景技術】
【０００２】
ゴルフクラブ用のヘッドカバーは各種形状、構造、デザインのものがあるが、通常は、ゴルフクラブ購入時に附属品としてついてくる。
【考案の概要】
【考案が解決しようとする課題】
【０００３】
ゴルフクラブ購入時についてくるヘッドカバー（以下「カバー」という。）は、ゴルフクラブ（以下「クラブ」という。）毎に同じであるため、クラブが同じであれば他人のものと同じになり、個性がない。また、長い間使用しているとデザイン、色等に飽きることがある。しかし、従来のカバーは形状、デザインを変更できるようにはなっていないため、デザインを変更するためには、カバーを買い変えなければならず、買い替えると費用がかかるし、既存のものが無駄になる。市販品のカバーはデザインに限りがあるため、買い替えるにしても自分の満足できるデザイン、色のカバーを購入できるとは限らない。カバー１本の相場は２０００円〜３５００円程度と安価ではないため、複数本分のカバーを購入する場合は経済的負担が大きい。また、カバーの一部が損傷した場合にカバーを買い替える場合も同様の問題がある。
【０００４】
本願考案の解決課題は、ヘッドの一部をユーザーの好みに合ったデザインや色等に変更可能であり、一部が損傷した場合はその損傷部分のみを交換可能であり、カバーを１本購入するよりも安価に交換可能な着脱式ヘッドカバーを提供することにある。
【課題を解決するための手段】
【０００５】
本願考案の着脱式ヘッドカバーは、ゴルフクラブのヘッドを保護するヘッド保護部と、シャフトを保護するシャフト保護部を備えたゴルフクラブのヘッドカバーにおいて、ヘッド保護部とシャフト保護部の双方又はいずれか一方を二以上のパーツで構成し、それら各パーツを着脱自在として、他のパーツと交換可能としたものである。
【０００６】
本願考案の着脱式ヘッドカバーは、ヘッド保護部と、シャフト保護部を備えたゴルフクラブのヘッドカバーにおいて、ヘッド保護部とシャフト保護部とを別体とし、両者を着脱自在として、ヘッド保護部又はシャフト保護部を他のヘッド保護部とシャフト保護部と交換可能としたものである。
【０００７】
本願考案の着脱式ヘッドカバーは、ヘッド保護部と、シャフト保護部を備えたゴルフクラブのヘッドカバーにおいて、ヘッドカバーが本体とその表面に着脱可能な着脱体を備え、着脱体をそれと同じサイズの他の脱着体と交換可能としたものである。
【考案の効果】
【０００８】
本願考案の着脱式ヘッドカバー（以下「ヘッドカバー」という。）は、次のような効果がある。
（１）パーツ単位での交換が可能であるため、自分の好みにあったデザイン、色のパーツと付け替え（交換）することで、個性的で、オリジナリティー溢れるデザインのヘッドカバーとすることができる。
（２）パーツ単位での取り換えが可能であるため、汚れが付いたり、一部が損傷したりしても、当該部分だけを交換すればよいので経済的である。また、新たにヘッドカバーを購入する場合に比べて出費を抑えることもでき、古いヘッドカバーが無駄にならない。
（３）クラブメーカーはデザイン、色彩等の異なる多種多様のヘッドカバーを在庫として確保しておく必要がなく、交換用のパーツを確保しておけばよいので、保管スペースが狭くて済み、在庫費も嵩張らない。
【図面の簡単な説明】
【０００９】
【図１】ヘッド保護部とシャフト保護部を別体とし、両者を線ファスナーで連結した場合の一例を示す斜視図。
【図２】ヘッド保護部を上方部と下方部の二パーツに分割し、それらを線ファスナーで連結した場合の一例を示す斜視図。
【図３】ヘッド保護部を本体と着脱体とから構成し、着脱体を面ファスナーで本体に取り付け可能とした場合の一例を示す斜視図。
【考案を実施するための形態】
【００１０】
（実施形態１）
本願考案の着脱式ヘッドカバーの実施形態の一例について、図１を参照しながら説明する。図１の着脱式ヘッドカバー１は、クラブのヘッドを保護するヘッド保護部２と、シャフトを保護するシャフト保護部３を備えるものであり、ヘッド保護部２とシャフト保護部３とが線ファスナー４で連結されて、脱着可能に構成したものである。
【００１１】
ヘッド保護部２とシャフト保護部３は、線ファスナー４の連結を解除することによって分離することができ、他の交換用ヘッド保護部材（パーツ）又はシャフト保護部材（パーツ）に交換することができる。ヘッド保護部２を交換する場合は、線ファスナー４を開いてヘッド保護部２をシャフト保護部３から分離し（取り外し）、そのシャフト保護部３に他のデザイン、色、形状、サイズ、材質等の交換用ヘッド保護材（パーツ）を付け替える。シャフト保護部３を交換する場合は、線ファスナー４を開いてシャフト保護部３とヘッド保護部２を取り外し、そのヘッド保護部２に他のデザイン、色、形状、サイズ、材質等の交換用シャフト保護材（パーツ）を連結する。
【００１２】
（実施形態２）
本願考案の着脱式ヘッドカバーの実施形態の他例について、図２を参照しながら説明する。図２の着脱式ヘッドカバー１もヘッド保護部２とシャフト保護部３を備えるものであり、ヘッド保護部２は、上方部２ａと、シャフト保護部３に一体に形成された下方部２ｂとから構成され、その上方部２ａと下方部２ｂとが線ファスナー４で一体に連結されている。
【００１３】
ヘッド保護部２の上方部２ａは、線ファスナー４の連結を解除することによって、下方部２ｂから分離できるようにしてあり、上方部２ａを取り換える場合は、線ファスナー４の連結を解除して上方部２ａを取り外し、下方部２ｂに他のデザイン、色、形状、サイズ、材質等の交換用上方部材（パーツ）を付け替える。下方部２ｂを取り換える場合は、線ファスナー４の連結を解除して上方部２ａと下方部２ｂを分離し、その上方部２ａに、他のデザイン、色、形状、サイズ、材質等の交換用下方部材（パーツ）を付け替える。
【００１４】
この実施形態では、ヘッド保護部２が上方部２ａと下方部２ｂとから構成される場合を一例として説明しているが、ヘッド保護部２は３以上のパーツ（例えば、上面部、下方部、両側方部）から構成することもできる。この場合、二以上のパーツを交換することもできる。上方部２ａと下方部２ｂの部位（箇所）も他の部位（箇所）とすることができる。上方部２ａと下方部２ｂの二つに分離可能とするのではなく、三以上の部位に分離することもできる。
【００１５】
（実施形態３）
本願考案の着脱式ヘッドカバーの実施形態の他の例について、図３を参照しながら説明する。図３の着脱式ヘッドカバー１もヘッド保護部２とシャフト保護部３を備えるものであり、ヘッド保護部２はヘッド全体を被覆可能な本体５と、その本体５の表面に重ねて貼り付け可能な着脱体６とから構成されている。
【００１６】
着脱体６は面ファスナー（例えば、マジックテープ（登録商標））を介して本体５の表面に貼り付けられるようにしてある。着脱体６はボタンや他の固定手段によって取り付けることもできる。図３に示す着脱体６の形状は一例であり、これ以外の形状とすることもできる。ヘッド保護部２に二以上の着脱体６を貼り付けておき、夫々の着脱体６を交換可能とすることもできる。交換用の着脱体６の表面には文字、図形、記号、柄、絵といった任意の装飾を施しておくこともでき、任意の材質製とすることもできる。着脱体６の貼り付け箇所は、本体５の他の箇所とすることもできる。
【００１７】
（他の実施形態）
本願考案の着脱式ヘッドカバー１は、ヘッド保護部２のみならず、シャフト保護部３を一又は二以上のパーツから構成し、着脱できるようにすることもできる。この場合、ヘッド保護部２と同様の手段で各パーツを分離・連結することができる。ヘッド保護部２とシャフト保護部３の双方を一又は二以上のパーツから構成し、夫々を前述の方法で分離・連結することもできる。
【００１８】
各パーツの連結には線ファスナー４や、面ファスナーのほか、嵌めこみ式のボタン、フック等他の連結手段（固定手段）を用いることもできる。
【００１９】
各パーツの形状は図示したものに限らず、円形、楕円形、星形、ダイヤ形、ハート形、クローバー形、四角形等の多角形など任意の形状にすることができる。各パーツには、文字、図形、記号、絵、写真、刺繍といったデザインを施すこともできる。
【符号の説明】
【００２０】
１      着脱式ヘッドカバー
２      ヘッド保護部
２ａ    上方部
２ｂ    下方部
３      シャフト保護部
４      線ファスナー
５      本体
６      着脱体
【図１】
0003162647.tif 000003
【図２】
0003162647.tif 000004
【図３】
0003162647.tif 000005